(57)【要約】【課題】携帯型プレーヤを安定的に装着する。【解決手段】ドア部２２は、携帯型プレーヤを収納する収納領域の正面側に設けられ、収納領域を開閉する。可動支持部２４は、収納領域の背面側に設けられ、収納領域内に収納される携帯型プレーヤを、ドア部２２に向かって押し付けて支持する。また、可動支持部２４は、可動支持部２４における携帯型プレーヤと当接する当接部分が、所定の可動範囲内で収納領域の奥行き方向に移動可能とされ、正面側に向かって付勢されている。本発明は、例えば、携帯型プレーヤにより再生される音声を出力する出力装置に適用できる。【選択図】図２
2010027130.tif 000002
【特許請求の範囲】
【請求項１】
端末機器を収納する収納領域の正面側に設けられ、前記収納領域を開閉するドア部材と、
前記収納領域の背面側に設けられ、前記収納領域内に収納される前記端末機器を、前記ドア部材に向かって押し付けて支持する支持部材と
を備え、
前記支持部材は、前記支持部材における前記端末機器と当接する当接部分が、所定の可動範囲内で前記収納領域の奥行き方向に移動可能とされ、前記正面側に向かって付勢されている
装着機構。
【請求項２】
前記収納領域の底面側に設けられ、前記端末機器と電気的に接続可能なコネクタ
をさらに備え、
前記コネクタは、前記ドア部材により前記収納領域が閉鎖された状態で、前記収納領域の奥行き方向に自在に摺動可能である
請求項１に記載の装着機構。
【請求項３】
前記収納領域の背面側の上端の近傍に設けられ、所定の高さ以上の前記端末機器の上端の近傍を、前記ドア部材に向かって押し付けて支持する第２の支持部材
をさらに備える請求項１に記載の装着機構。
【請求項４】
端末機器を収納する収納領域の正面側に設けられ、前記収納領域を開閉するドア部材と、
前記収納領域の背面側に設けられ、前記収納領域内に収納される前記端末機器を、前記ドア部材に向かって押し付けて支持する支持部材と、
前記端末機器により再生されるコンテンツを出力する出力手段と
を備え、
前記支持部材は、前記支持部材における前記端末機器と当接する当接部分が、所定の可動範囲内で前記収納領域の奥行き方向に移動可能とされ、前記正面側に向かって付勢されている
出力装置。
【発明の詳細な説明】
【技術分野】
【０００１】
本発明は、装着機構および出力装置に関し、特に、携帯型プレーヤを安定的に装着することができるようにした装着機構および出力装置に関する。
【背景技術】
【０００２】
従来、筐体に設けられたコネクタに、音声や映像などを再生する携帯型プレーヤが接続され、携帯型プレーヤにより再生される音声を所定の音量で出力する出力装置がある。
【０００３】
一般的に、携帯型プレーヤでは、その機種ごとに、コネクタの形状が統一されていても、外形寸法が異なっていることが多い。従って、外形寸法の異なる携帯型プレーヤが接続可能となるように、出力装置には、例えば、筐体の上面にコネクタが設けられ、携帯型プレーヤを上面に載置するようにして装着する構成となっているものがある。
【０００４】
しかしながら、携帯型プレーヤが、出力装置の筐体の上面で装着されていると不安定であり、例えば、ユーザは、携帯型プレーヤを装着したままの出力装置を安心して持ち運ぶことができなかった。
【０００５】
そこで、例えば、カセットデッキにカセットテープを装着するように、携帯型プレーヤを出力装置の内部に装着させることで、携帯型プレーヤの装着が安定的になり、ユーザが安心して持ち運ぶことができると考えられる。しかしながら、カセットテープにおいては、外形寸法が統一されているが、携帯型プレーヤにおいては、機種ごとに外形寸法が異なっている。そこで、機種ごとに外形寸法が異なる携帯型プレーヤについて、いずれの携帯型プレーヤでも安定的に装着することができる装着機構、および、その装着機構を備えた出力装置が求められている。
【０００６】
ここで、特許文献１には、携帯情報端末を接続可能なクレードルであって、複数の機種の携帯情報端末に対して共通に使用できるクレードルが開示されている。
【０００７】
また、特許文献２には、ポータブルコンピュータおよびドッキングステーションから構成されるコンピュータシステムであって、ポータブルコンピュータとドッキングステーションとの位置合わせを容易に行うことができるコンピュータシステムが開示されている。
【０００８】
また、特許文献３には、ノート型のパーソナルコンピュータの機種を認識し、インターフェースコネクタを適宜の高さ設定位置にセットすることができるドッキングステーションが開示されている。
【０００９】
【特許文献１】特開２００４−１３５１１９号公報
【特許文献２】特許第３６６０５２３号
【特許文献３】特許第３２９９２３６号
【発明の開示】
【発明が解決しようとする課題】
【００１０】
上述したように、機種ごとに外形寸法が異なる携帯型プレーヤについて、いずれの携帯型プレーヤでも安定的に装着することができる装着機構、および、その装着機構を備えた出力装置が求められている。
【００１１】
本発明は、このような状況に鑑みてなされたものであり、携帯型プレーヤを安定的に装着することができるようにするものである。
【課題を解決するための手段】
【００１２】
本発明の第１の側面の装着機構は、端末機器を収納する収納領域の正面側に設けられ、前記収納領域を開閉するドア部材と、前記収納領域の背面側に設けられ、前記収納領域内に収納される前記端末機器を、前記ドア部材に向かって押し付けて支持する支持部材とを備え、前記支持部材は、前記支持部材における前記端末機器と当接する当接部分が、所定の可動範囲内で前記収納領域の奥行き方向に移動可能とされ、前記正面側に向かって付勢されている。
【００１３】
本発明の第２の側面の出力装置は、端末機器を収納する収納領域の正面側に設けられ、前記収納領域を開閉するドア部材と、前記収納領域の背面側に設けられ、前記収納領域内に収納される前記端末機器を、前記ドア部材に向かって押し付けて支持する支持部材と、前記端末機器により再生されるコンテンツを出力する出力手段とを備え、前記支持部材は、前記支持部材における前記端末機器と当接する当接部分が、所定の可動範囲内で前記収納領域の奥行き方向に移動可能とされ、前記正面側に向かって付勢されている。
【００１４】
本発明の第１および第２の側面においては、ドア部材が、端末機器を収納する収納領域の正面側に設けられ、収納領域を開閉し、支持部材が、収納領域の背面側に設けられ、収納領域内に収納される端末機器を、ドア部材に向かって押し付けて支持する。また、支持部材は、支持部材における端末機器と当接する当接部分が、所定の可動範囲内で収納領域の奥行き方向に移動可能とされ、正面側に向かって付勢されている。さらに、本発明の第２の側面においては、端末機器により再生されるコンテンツが出力される。
【発明の効果】
【００１５】
本発明の一側面によれば、携帯型プレーヤを安定的に装着することができる。
【発明を実施するための最良の形態】
【００１６】
以下、本発明を適用した具体的な実施の形態について、図面を参照しながら詳細に説明する。
【００１７】
図１は、本発明を適用した出力装置の一実施の形態の構成例を示す斜視図である。
【００１８】
図１に示すように、出力装置１１は、装着部１２、スピーカ１３ａおよび１３ｂ、オープンボタン１４を備えて構成されており、図示しない携帯型プレーヤ（例えば、図３乃至図７の携帯型プレーヤ３１Ａ乃至３１Ｅ）を内部に収納することができる。
【００１９】
装着部１２は、出力装置１１の正面の略中央に設けられており、図２を参照して後述するように、その内部の収納領域に携帯型プレーヤを装着する。また、装着部１２には、携帯型プレーヤと電気的に接続可能なコネクタ（図２のコネクタ２３ａ）が設けられており、携帯型プレーヤにより再生される音声の信号がコネクタを介して、例えば、出力装置１１が内蔵するアンプ（図示せず）に供給される。
【００２０】
スピーカ１３ａおよび１３ｂは、出力装置１１の正面の装着部１２の左右にそれぞれ設けられており、装着部１２に装着された携帯型プレーヤにより再生される音声を出力する。
【００２１】
オープンボタン１４は、例えば、出力装置１１の上面に設けられ、ユーザがオープンボタン１４を操作することにより、装着部１２のドア部（図２のドア部２２）が開かれる。例えば、図１の上側に示されているように、装着部１２のドア部が閉じられているときに、ユーザがオープンボタン１４を操作すると、図１の下側に示すように、装着部１２のドア部が出力装置１１の前方に傾動し、ドア部が開かれる。そして、例えば、ユーザは、装着部１２の内部にあるコネクタに携帯型プレーヤを差し込み、装着部１２のドア部を押して閉じることにより、携帯型プレーヤは、装着部１２内の所定位置で保持される。
【００２２】
このように出力装置１１の装着部１２に携帯型プレーヤが装着され、ユーザが、携帯型プレーヤにより音声が再生されるように操作すると、携帯型プレーヤから出力装置１１に音声の信号が供給される。そして、出力装置１１は、内蔵するアンプなどにより音声を増幅してスピーカ１３ａおよび１３ｂから出力する。
【００２３】
次に、図２を参照して、装着部１２の概略的な構成について説明する。
【００２４】
図２は、装着部１２の主な構成要素を出力装置１１の右側面からみたときの概略的な構成を示した図である。なお、図２の左側が、出力装置１１の正面側（手前側）であり、図２の右側が、出力装置１１の背面側（奥側）である。
【００２５】
図２に示すように、装着部１２は、シャーシ２１、ドア部２２、ホルダ部２３、並びに、可動支持部２４および２５から構成される。
【００２６】
シャーシ２１は、ドア部２２、ホルダ部２３、並びに、可動支持部２４および２５が取り付けられる枠組みであり、出力装置１１に対して固定的に取り付けられる。シャーシ２１の内部には、携帯型プレーヤを収納する収納領域が設けられ、その収納領域は、出力装置１１の手前側に向かって開放されており、ドア部２２により収納領域が閉鎖される。
【００２７】
ドア部２２は、その下端の近傍に設けられた軸２２ａを中心に回動することができるようにシャーシ２１に取り付けられており、図２には、ドア部２２が閉じられた状態が示されている。また、ドア部２２は、図示しないスプリング（例えば、図１２のスプリング２２ｅおよび２２ｆ）により、図２の紙面に向かって反時計回りに付勢されており、図示しないロック機構によりロックされている。そして、例えば、ユーザが、オープンボタン１４（図１）を操作すると、ドア部２２のロックが解除され、ドア部２２は、図２の矢印Ａの方向に傾動し、収納領域が開放される。
【００２８】
ホルダ部２３は、装着部１２に装着可能な、外形寸法の異なる携帯型プレーヤのうちの、底面積が最も広い携帯型プレーヤを保持することができる幅のＵ字型の断面形状を有している。また、装着部１２に装着可能な携帯型プレーヤの底面には、凹型のコネクタが設けられており、ホルダ部２３のＵ字型の底面の略中央には、携帯型プレーヤのコネクタと接続可能な凸型のコネクタ２３ａが設けられている。
【００２９】
また、ホルダ部２３は、ドア部２２が閉じられた状態で、図２の矢印Ｂの方向（出力装置１１の前後方向）に自在にスライド可能となり、ドア部２２が開かれるとロックされ、シャーシ２１に対して固定されるように構成されている。また、ホルダ部２３は、ドア部２２の開閉と連動して傾動し、ドア部２２が開かれるのに応じて、図２の矢印Ｃの方向に傾動するように構成されている。このようにホルダ部２３が構成されていることで、ドア部２２が開かれた状態で、コネクタ２３ａが、出力装置１１の正面側に向かって傾くとともに固定されるので、ユーザが、携帯型プレーヤをコネクタ２３ａに差し込みやすくなる。
【００３０】
可動支持部２４は、その上端の近傍に設けられた軸２４ａを中心に回動することができるようにシャーシ２１に取り付けられており、図示しないスプリング（例えば、図１２のスプリング２４ｄ）により、図２の矢印Ｄの方向に付勢されている。
【００３１】
また、可動支持部２４は、出力装置１１の手前側を向く面が、上側から下側に向かうに従い手前方向に広がるように傾斜し、その手前側を向く面と、底面とが円弧状の曲面により繋がっている。この曲面のうち、収納領域内で最も手前側となる部分が、装着部１２に装着される携帯型プレーヤと当接する当接部分となる。そして、可動支持部２４が、軸２４ａを中心に回動することにより、可動支持部２４の当接部分は、収納領域内の所定範囲内で、収納領域の奥行き方向（図２の左右方向）に移動可能となっている。また、図２では、スプリングの付勢により、当接部分が移動可能な範囲の最も手前側に位置している状態の可動支持部２４が示されている。
【００３２】
このように、可動支持部２４が、その当接部分が移動可能で、スプリングにより収納領域の手前側に付勢されるように構成されていることにより、可動支持部２４は、当接部分が移動可能な範囲内で、厚みの異なる携帯型プレーヤを確実に支持することができる。
【００３３】
可動支持部２５は、装着部１２の内部の上端の近傍に、収納領域の奥行き方向にスライド可能となるようにシャーシ２１に取り付けられており、図示しないスプリング（例えば、図１２のスプリング２５ｃ）により、図２の矢印Ｅの方向に付勢されている。可動支持部２５は、所定の高さ以上の携帯型プレーヤが装着される際に、その携帯型プレーヤの上端の近傍を支持することができる。
【００３４】
このように装着部１２は構成されており、ユーザは、装着部１２の内部に携帯型プレーヤを収納するときに、ドア部２２を開け、携帯型プレーヤの底面に設けられているコネクタを、ホルダ部２３のコネクタ２３ａに嵌め込む。これにより、携帯型プレーヤの下端がホルダ部２３に対して固定される。
【００３５】
その後、ユーザがドア部２２を閉めることで、可動支持部２４および２５の少なくとも一方が、携帯型プレーヤの背面に当接して、携帯型プレーヤをドア部２２に向かって押し付ける。即ち、上述したように、可動支持部２４は、図２の矢印Ｄの方向にスプリングにより付勢されており、その力により、携帯型プレーヤをドア部２２に向かって押し付ける。また、可動支持部２５は、図２の矢印Ｅの方向にスプリングにより付勢されており、その力により、携帯型プレーヤをドア部２２に向かって押し付ける。
【００３６】
ここで、ドア部２２の奥側（図２の右側）を向く面と、シャーシ２１の収納領域内の手前側（図２の左側）を向く面との距離を、収納領域の第１の奥行きＤ１とする。また、ホルダ部２３のＵ字型の底面（携帯型プレーヤを装着するときに携帯型プレーヤの底面が当接する面）と、シャーシ２１の収納領域内の下側を向く面との間の距離を、収納領域の第１の高さＨ１とする。このとき、装着部１２は、第１の奥行きＤ１未満の厚さで、かつ、第１の高さＨ１未満の高さの携帯型プレーヤを収納することができる。
【００３７】
また、ドア部２２の奥側を向く面と、回動可能な可動支持部２４が収納領域内で最も手前側となる当接部分（即ち、図２において可動支持部２４の左側を向く曲面の先端部）との距離を、収納領域の第２の奥行きＤ２とする。また、ホルダ部２３のＵ字型の底面と、回動可能な可動支持部２４が収納領域内で最も手前側となる当接部分との距離を、収納領域の第２の高さＨ２とする。このとき、装着部１２は、第２の奥行きＤ２以上の厚さで、かつ、第２の高さＨ２以上の高さの携帯型プレーヤを安定的に装着することができる。即ち、第２の奥行きＤ２以上の厚さで、かつ、第２の高さＨ２以上の高さの携帯型プレーヤであれば、可動支持部２４が、携帯型プレーヤの背面を押し付けることができ、ホルダ部２３、可動支持部２４、およびドア部２２により携帯型プレーヤが安定的に装着される。
【００３８】
即ち、可動支持部２４の当接部分は、第２の奥行きＤ２から第１の奥行きＤ１までの範囲で移動可能とされており、装着部１２は、ドア部２２の奥側を向く面を基準として、第２の奥行きＤ２から第１の奥行きＤ１までの厚みの携帯型プレーヤであれば、その厚みの差を吸収して、安定的に装着することができる。
【００３９】
また、ホルダ部２３のＵ字型の底面と、可動支持部２５の下側を向く面との距離を、収納領域の第３の高さＨ３とすると、装着部１２は、高さＨ３以上の高さの携帯型プレーヤを、より安定的に装着することができる。即ち、高さＨ３以上の高さの携帯型プレーヤであれば、可動支持部２５が、その上端の近傍の背面を押し付けることができる。
【００４０】
具体的には、装着部１２は、例えば、奥行きＤ１が19.1ｍｍとなり、奥行きＤ２が6.5ｍｍとなるように設計され、これにより、厚さ19.1〜6.5ｍｍの携帯型プレーヤに対応することができる。即ち、装着部１２は、携帯型プレーヤの機種による厚さの寸法差が12.6ｍｍ（19.1ｍｍ−6.5ｍｍ）あっても、いずれの機種の携帯型プレーヤでも、安定的に装着することができる。
【００４１】
また、装着部１２は、例えば、高さＨ１が120ｍｍとなり、高さＨ２が50ｍｍとなり、高さＨ３が105ｍｍとなるように設計される。これにより、高さ50ｍｍ以上の携帯型プレーヤであれば、可動支持部２４により押し付けられ、さらに、高さ105ｍｍ以上の携帯型プレーヤは、その上端の近傍が可動支持部２５により押し付けられることで、携帯型プレーヤの装着が安定的になる。
【００４２】
例えば、図３乃至７には、それぞれ外形寸法が異なる５つの携帯型プレーヤ３１Ａ乃至３１Ｅが、装着部１２に装着された状態が示されている。
【００４３】
図３には、例えば、高さ×幅×厚さが115×60×11.5ｍｍである携帯型プレーヤ３１Ａが、装着部１２に装着された状態が示されている。携帯型プレーヤ３１Ａは、その背面の上端部が可動支持部２５によりドア部２２に押し付けられるとともに、その背面部の中央より若干下側の部分が可動支持部２４によりドア部２２に押し付けられている。
【００４４】
図４には、例えば、高さ×幅×厚さが110×61.8×8.0ｍｍである携帯型プレーヤ３１Ｂが、装着部１２に装着された状態が示されている。携帯型プレーヤ３１Ｂは、携帯型プレーヤ３１Ａと同様に、可動支持部２４および２５によりドア部２２に押し付けられている。
【００４５】
図５には、例えば、高さ×幅×厚さが104.1×60.9×19.1ｍｍである携帯型プレーヤ３１Ｃが、装着部１２に装着された状態が示されている。携帯型プレーヤ３１Ｃの高さは、収納領域の第３の高さＨ３（図２）よりも低いため、可動支持部２４によりドア部２２に押し付けられている。また、携帯型プレーヤ３１Ｃの厚さは、収納領域の奥行きＤ１（図２）と一致しているので、携帯型プレーヤ３１Ｃの背面と、シャーシ２１の収納領域内の手前側を向く面（可動支持部２４および２５の間にある面）とが接する状態となる。
【００４６】
図６には、例えば、高さ×幅×厚さが69.8×52.3×6.5ｍｍである携帯型プレーヤ３１Ｄが、装着部１２に装着された状態が示されている。また、図７には、例えば、高さ×幅×厚さが90×40×6.5ｍｍである携帯型プレーヤ３１Ｅが、装着部１２に装着された状態が示されている。携帯型プレーヤ３１Ｄおよび３１Ｅは、可動支持部２４によりドア部２２に押し付けられている。
【００４７】
図３乃至図７に示すように、装着部１２は、厚さ19.1ｍｍの携帯型プレーヤ３１Ｃでも、厚さ6.5ｍｍの携帯型プレーヤ３１Ｅでも、安定的に装着することができる。
【００４８】
また、図３乃至図７に示すように、携帯型プレーヤ３１Ａ乃至Ｅは、その底面に設けられているコネクタの位置がそれぞれ異なっている。図２を参照して説明したように、ホルダ部２３は、ドア部２２が閉じられた状態で、図２の矢印Ｂの方向に自在にスライド可能とされており、ホルダ部２３がスライドすることで、コネクタの位置が異なっていても、装着部１２は、ドア部２２の奥側を向く面を基準として、携帯型プレーヤ３１Ａ乃至Ｅを安定的に装着することができる。
【００４９】
例えば、図８には、厚みが最も大きな携帯型プレーヤ３１Ｃ、および、厚みが最も小さな携帯型プレーヤ３１Ｅのコネクタの位置が示されている。
【００５０】
即ち、携帯型プレーヤ３１Ｃは、厚みが19.1ｍｍであり、携帯型プレーヤ３１Ｃのコネクタセンタ（コネクタの厚み方向の中心）に対して、正面までの寸法が9.52ｍｍとなり、背面までの寸法差が9.52ｍｍとなるように設計されている。また、携帯型プレーヤ３１Ｅは、厚みが6.5ｍｍであり、携帯型プレーヤ３１Ｅのコネクタセンタに対して、正面までの寸法が3.25ｍｍとなり、背面までの寸法差が3.25ｍｍとなるように設計されている。
【００５１】
装着部１２は、携帯型プレーヤ３１の正面をドア部２２に押し付けるように装着するので、携帯型プレーヤ３１の正面を基準として、それぞれのコネクタまでの位置の差に対応するように、ホルダ部２３がスライド可能とされている。即ち、携帯型プレーヤ３１Ｃのコネクタセンタから正面までの寸法9.52ｍｍと、携帯型プレーヤ３１Ｅのコネクタセンタから正面までの寸法3.25ｍｍとの寸法差は6.27ｍｍであり、ホルダ部２３が、少なくとも6.27ｍｍスライドすることができれば、このような寸法差がある携帯型プレーヤ３１でも、装着可能となる。
【００５２】
また、可動支持部２４の当接部分の可動範囲が、携帯型プレーヤ３１Ｃの厚み19.1ｍｍと、携帯型プレーヤ３１Ｅの厚み6.5ｍｍとの寸法差12.6ｍｍであれば、このような厚みの寸法差のある携帯型プレーヤ３１でも、装着可能となる。
【００５３】
次に、図９を参照して、装着部１２に携帯型プレーヤ３１Ｃを装着する際の各部の動きについて説明する。
【００５４】
図９では、左側から右側に向かって、ドア部２２が完全に開いた状態の装着部１２−１、ドア部２２が開閉途中の状態の装着部１２−２および１２−３、並びに、ドア部２２が閉じた状態の装着部１２−４が示されている。
【００５５】
上述したように、ユーザがオープンボタン１４（図１）を操作すると、ドア部２２のロックが開放され、装着部１２−１のように、ドア部２２は完全に開き、収納領域が開放される。このとき、ホルダ部２３は、ドア部２２が開放されるのに連動して正面側に向かって傾動する。ユーザは、ホルダ部２３のコネクタ２３ａに、携帯型プレーヤ３１Ｃの底面に設けられているコネクタを差し込む。このとき、携帯型プレーヤ３１Ｃは、ホルダ部２３の傾きに従って、前方に向かって傾斜している。
【００５６】
そして、ユーザが、ドア部２２を閉じるために、指などでドア部２２を回動させると、装着部１２−２のように、可動支持部２４の当接部分が携帯型プレーヤ３１Ｃの背面と当接する。さらに、ユーザがドア部２２の回動を続けると、装着部１２−３のように、携帯型プレーヤ３１Ｃにより可動支持部２４が奥側に押し込まれる。
【００５７】
その後、ドア部２２が閉じて収納領域が閉鎖されると、装着部１２−４のように、携帯型プレーヤ３１Ｃは直立し、可動支持部２４の付勢力によりドア部２２に押し付けられた状態で装着される。
【００５８】
また、図１０には、装着部１２に携帯型プレーヤ３１Ａを装着する際の各部の動きが示されており、図１１には、装着部１２に携帯型プレーヤ３１Ｅを装着する際の各部の動きが示されている。図１０および図１１の例では、図９を参照して説明したのと同様に、装着部１２の各部が動作する。
【００５９】
なお、図１０に示されている携帯型プレーヤ３１Ａは、その高さが高さＨ３（図２）より高いので、ドア部２２が閉じられるのに応じて、携帯型プレーヤ３１Ａの上端の背面が可動支持部２５を奥側に押し込むことになる。そして、可動支持部２５の付勢力により携帯型プレーヤ３１Ａの上端が押し付けられる。
【００６０】
また、図１１に示されている携帯型プレーヤ３１Ｅは、その厚みが奥行きＤ２（図２）とほぼ同じであるので、可動支持部２４は、ほぼ押し込まれることなく、その付勢力により携帯型プレーヤ３１Ｅの背面を支持している。
【００６１】
次に、図１２は、装着部１２の分解斜視図である。
【００６２】
図１２に示すように、装着部１２は、シャーシ２１、ドア部２２、ホルダ部２３、可動支持部２４および２５、ドアダンパ４１、検出スイッチ４２、およびロック機構４３を備えて構成されている。
【００６３】
シャーシ２１には、各部品を取り付けるための取り付け部や、出力装置１１に対して取り付けるための取り付け部などが設けられている。また、シャーシ２１の背面側の壁面には、可動支持部２４および２５の一部を貫通させるための開口部が設けられている。
【００６４】
ドア部２２は、軸２２ａが形成されているドア本体２２ｂ、ドア枠２２ｃ、窓板２２ｄ、スプリング２２ｅおよび２２ｆ、並びに、支持シート２２ｇおよび２２ｈを備えて構成されている。
【００６５】
ドア本体２２ｂは、軸２２ａによりシャーシ２１に取り付けられるとともに、その上端部の両側は、ロック機構４３が有するフックと係合可能とされている。また、ドア本体２２ｂは、軸２２ａを中心とした円弧状にラック（歯車の一部分）が形成されており、シャーシ２１に組み付けられると、このラックとドアダンパ４１の歯車とが噛合するように構成されている。
【００６６】
ドア本体２２ｂの正面側には、ドア枠２２ｃが着脱可能に取り付けられ、ドア枠２２ｃには、例えば、透明な部材からなる窓板２２ｄが貼着されている。なお、例えば、装着部１２に装着される携帯型プレーヤ３１が、タッチパネルなどの操作部を備えている場合など、ユーザが操作部を利用して携帯型プレーヤ３１を直接操作することを想定し、ドア枠２２ｃに替えて、ドア枠２２ｃ’が、ドア本体２２ｂの正面側に取り付けられるように構成されている。即ち、装着部１２は、携帯型プレーヤ３１に応じて、ユーザが、ドア枠２２ｃとドア枠２２ｃ’とを交換することができるように構成されている。
【００６７】
スプリング２２ｅおよび２２ｆは、一端がシャーシ２１に係止されるとともに、他端がドア本体２２ｂに係止され、ドア本体２２ｂを正面側に向かって付勢する。
【００６８】
支持シート２２ｇおよび２２ｈは、ドア本体２２ｂの背面側の下端の近傍に貼着される。支持シート２２ｇおよび２２ｈは、例えば、可動支持部２４により携帯型プレーヤ３１の背面が押し付けられるときに、携帯型プレーヤ３１の正面とドア部２２との接触を和らげるためのものである。
【００６９】
ホルダ部２３は、コネクタ２３ａが設けられたコネクタ基板２３ｂ、ホルダ本体２３ｃ、シャフト２３ｄ、固定スプリング２３ｅ、ホルダ基部２３ｆ、スプリング２３ｇ、およびネジ２３ｈを備えて構成されている。
【００７０】
コネクタ基板２３ｂには、コネクタ基板２３ｂに実装されているコネクタ２３ａと、出力装置１１が内蔵する電子部品とを接続するための回路がプリントされた基板であり、ホルダ本体２３ｃに固定的に取り付けられる。
【００７１】
ホルダ本体２３ｃは、出力装置１１に装着可能な最も大きな携帯型プレーヤ３１の底部の形状に沿った凹部を有している。ホルダ本体２３ｃには、その凹部の略中央に設けられた開口部から、コネクタ２３ａが凹部内に突出するようにコネクタ基板２３ｂが装着される。また、ホルダ本体２３ｃの後端部の近傍には、シャフト２３ｄが貫通可能な穴が設けられており、ホルダ本体２３ｃは、シャフト２３ｄと、ホルダ本体２３ｃの前端部の近傍に形成されている凸部とにより、出力装置１１の前後方向（図２の矢印Ｂ方向）に自在にスライド可能となるようにホルダ基部２３ｆに取り付けられる。
【００７２】
固定スプリング２３ｅは、ホルダ本体２３ｃとホルダ基部２３ｆとの間に取り付けられ、ドア部２２が開かれるのに連動してホルダ部２３が傾動したときに、ホルダ本体２３ｃがスライドされないようにロックする。ホルダ基部２３ｆは、ホルダ本体２３ｃをスライド可能に支持するとともに、ホルダ基部２３ｆの後側の上端の近傍に形成されている軸を介して、シャーシ２１に対し傾動可能に取り付けられる。スプリング２３ｇは、ドア部２２が開かれるのに連動してホルダ部２３が傾動するように、ホルダ基部２３ｆを付勢し、ネジ２３ｈにより取り付けられる。
【００７３】
可動支持部２４は、軸２４ａが形成されている支持部本体２４ｂ、支持シート２４ｃ、およびスプリング２４ｄを備えて構成されている。
【００７４】
支持部本体２４ｂは、軸２４ａにより回動可能にシャーシ２１に取り付けられ、携帯型プレーヤ３１と当接する当接部分となる曲面に、支持シート２４ｃが嵌め込まれている。支持シート２４ｃは、可動支持部２４と携帯型プレーヤ３１との接触を和らげるためのものである。スプリング２４ｄは、一端がシャーシ２１に係止されるとともに、他端が支持部本体２４ｂに係止され、可動支持部２４の当接部分を正面側に向かって付勢する。
【００７５】
可動支持部２５は、支持部本体２５ａ、支持シート２５ｂ、およびスプリング２５ｃを備えて構成されている。
【００７６】
支持部本体２５ａは、その両側面に形成されている凸部が、シャーシ２１に形成されている溝に係合するようにシャーシ２１に取り付けられ、シャーシ２１の溝に沿って、スライド可能とされている。支持シート２５ｂは、支持部本体２５ａの正面側の先端部に嵌め込まれ、可動支持部２５と携帯型プレーヤ３１との接触を和らげるためのものである。スプリング２５ｃは、一端がシャーシ２１に係止されるとともに、他端が支持部本体２５ａに係止され、可動支持部２５を正面側に向かって付勢する。
【００７７】
ドアダンパ４１は、シャーシ２１の側面に取り付けられ、歯車と、その歯車の回転速度を規制する機構とを有している。そして、ドアダンパ４１の歯車が、ドア本体２２ｂに形成されているラックと噛合することで、ドア部２２のロックが解除された際に、スプリング２２ｅおよび２２ｆの付勢力によりドア部２２が開く速度を規制する。
【００７８】
検出スイッチ４２は、シャーシ２１の底面付近に設置され、装着部１２に携帯型プレーヤ３１が装着されるとＯＮとなり、携帯型プレーヤ３１が装着されたことを検出して、図示しない制御部などに通知する。
【００７９】
ロック機構４３は、ロック機構本体４３ａ、スプリング４３ｂ、並びに、ネジ４３ｃおよび４３ｄを備えて構成されている。
【００８０】
ロック機構本体４３ａの正面側の両端には、ドア本体２２ｂと係合可能なフックが形成されており、そのフックとドア本体２２ｂとの係合により、ドア部２２をロックする。そして、ユーザがオープンボタン１４（図１）を操作すると、例えば、ロック機構本体４３ａが下方に若干移動し、ロック機構本体４３ａのフックがドア本体２２ｂから外れ、ドア部２２のロックが解除される。
【００８１】
スプリング４３ｂは、ユーザによるオープンボタン１４の操作後、ロック機構本体４３ａを定位置に戻すためのものである。ネジ４３ｃおよび４３ｄは、ロック機構本体４３ａをシャーシ２１に取り付けるためのものである。
【００８２】
以上のように装着部１２は構成されており、装着部１２内の収納領域に携帯型プレーヤ３１を収納することができるので、例えば、筐体に載置するように携帯型プレーヤを装着する出力装置よりも、安定的に携帯型プレーヤ３１を装着することができる。これにより、ユーザは、携帯型プレーヤ３１が装着された状態の出力装置１１を安心して持ち運ぶことができる。
【００８３】
また、可動支持部２４が、軸２４ａを中心として回動可能とされ、携帯型プレーヤ３１と当接する当接部分が、所定の範囲内で、奥行き方向に移動可能とされているので、厚さが異なる携帯型プレーヤ３１でも、安定的に装着することができる。
【００８４】
また、所定の高さ以上の携帯型プレーヤ３１に対しては、可動支持部２５が、携帯型プレーヤ３１の背面側の上端をドア部２２に向かって押し付けることができるので、所定の高さ以上の携帯型プレーヤ３１の装着をより安定的にすることができる。
【００８５】
また、コネクタ２３ａを有するホルダ部２３が、ドア部２２が閉じられた状態で、装着部１２の奥行き方向にスライド可能とされていることにより、ユーザが装着部１２に装着されている携帯型プレーヤ３１をタッチして操作する際に力が掛かっても、ホルダ部２３がスライドすることで、その力を逃がすことができる。これにより、コネクタ２３ａや携帯型プレーヤ３１のコネクタなどが損傷することを回避することができる。
【００８６】
なお、出力装置１１は、外部の電源から供給される電力や、内蔵するバッテリ（図示せず）に蓄積されている電力などにより、携帯型プレーヤへの充電を行うことができる。また、出力装置１１は、CD再生部、AM/FMラジオチューナなど（いずれも図示せず）を内蔵しており、携帯型プレーヤにより再生される音声の他、CDまたはラジオを音源とした音声を出力することができる。
【００８７】
また、出力装置１１には、音声や映像などを再生する携帯型プレーヤ３１の他、携帯電話機やPDA（Personal Digital Assistant）などの携帯型の端末機器を装着することができる。
【００８８】
なお、本発明の実施の形態は、上述した実施の形態に限定されるものではなく、本発明の要旨を逸脱しない範囲において種々の変更が可能である。
【図面の簡単な説明】
【００８９】
【図１】本発明を適用した出力装置の一実施の形態の構成例を示す斜視図である。
【図２】装着部１２の概略的な構成について説明する図である。
【図３】携帯型プレーヤ３１Ａが、装着部１２に装着された状態を示す図である。
【図４】携帯型プレーヤ３１Ｂが、装着部１２に装着された状態を示す図である。
【図５】携帯型プレーヤ３１Ｃが、装着部１２に装着された状態を示す図である。
【図６】携帯型プレーヤ３１Ｄが、装着部１２に装着された状態を示す図である。
【図７】携帯型プレーヤ３１Ｅが、装着部１２に装着された状態を示す図である。
【図８】携帯型プレーヤの寸法などを示す図である。
【図９】装着部１２に携帯型プレーヤ３１Ｃを装着する際の各部の動きを説明する図である。
【図１０】装着部１２に携帯型プレーヤ３１Ａを装着する際の各部の動きを説明する図である。
【図１１】装着部１２に携帯型プレーヤ３１Ｅを装着する際の各部の動きを説明する図である。
【図１２】装着部１２の分解斜視図である。
【符号の説明】
【００９０】
１１  出力装置，  １２  装着部，  １３ａおよび１３ｂ  スピーカ，  １４  オープンボタン，  ２１  シャーシ，  ２２  ドア部，  ２３  ホルダ部，  ２４および２５  可動支持部
【図１】
2010027130.tif 000003
【図２】
2010027130.tif 000004
【図３】
2010027130.tif 000005
【図４】
2010027130.tif 000006
【図５】
2010027130.tif 000007
【図６】
2010027130.tif 000008
【図７】
2010027130.tif 000009
【図８】
2010027130.tif 000010
【図９】
2010027130.tif 000011
【図１０】
2010027130.tif 000012
【図１１】
2010027130.tif 000013
【図１２】
2010027130.tif 000014